(57)【要約】【課題】  製造工数の節減及び製造コストの節減が実現可能な一体型光センサーパッケージを提供する。【解決手段】  本発明は一体型光センサーパッケージに係り、より詳しくは可視光帯域を受光する照度センサーと、ＩＲ帯域の光信号を受信するリモートコントローラーセンサーとが互いに干渉なしにそれぞれの固有広帯域だけの受光が可能となるように一体化され、また前記リモートコントローラーセンサーの動作を発光表示する発光手段が前記リモートコントローラーセンサーと一体化されることで、製造工数の節減及び製造コストの節減を実現することができる一体型光センサーパッケージに関するものである。【選択図】図１
2014523140.tif 000002
【特許請求の範囲】
【請求項１】
ＩＲ帯域の光信号を受信して電気的信号に変換して出力する一つ以上のリモートコントローラー素子を備えたリモートコントローラーセンサー部；
可視光帯域の光信号を受信して電気的信号に変換して出力する照度センサー；
前記リモートコントローラー素子と照度センサーがそれぞれ実装される一つ以上の実装部が備えられ、前記リモートコントローラー素子と照度センサーから出力される電気的信号を外側に出力する一つ以上の出力端子を備えるリードフレーム；及び
前記リモートコントローラーセンサー部と照度センサーを内側に収容するように外観をなすハウジング；を含み、
前記リモートコントローラー素子は、ＩＲ帯域のみを透過し、その外の光を遮断するＩＲコーティング剤がコートされ、
前記照度センサーは、可視光帯域の光のみを透過し、その外の光を遮断する可視光コーティング剤がコートされることを特徴とする、一体型光センサーパッケージ。
【請求項２】
前記リモートコントローラーセンサー部は、前記ハウジングの上面から上方に突出してＩＲ帯域の光を透過させる一つ以上のレンズと、前記ハウジングの内側で外乱光及び電磁波を遮蔽させるシールドケースと、前記リモートコントローラー素子から出力された電気的信号を増幅させる増幅素子とを含むことを特徴とする、請求項１に記載の一体型光センサーパッケージ。
【請求項３】
前記リードフレームは、前記リモートコントローラー素子と照度センサーがそれぞれ実装される一つ以上の実装部と、前記一つ以上の実装部とボンディングされ、電気的信号を外側に出力する一つ以上の出力端子とを含み、
前記出力端子は前記ハウジングの前面から突出して下面に平行になるように下向きに折り曲げられて伸びるように形成されることを特徴とする、請求項１に記載の一体型光センサーパッケージ。
【請求項４】
前記一体型光センサーパッケージは表面実装型であることを特徴とする、請求項１に記載の一体型光センサーパッケージ。
【請求項５】
前記ハウジングは、前記照度センサーの直上方の位置の上面から上方に突出する凸面レンズをさらに含むことを特徴とする、請求項１に記載の一体型光センサーパッケージ。
【請求項６】
光透過性コンパウンドから成形されるハウジング；
前記ハウジングの内側に入射する光信号のうちＩＲ帯域の光のみを選択的に受信し、受信された光信号を電気的信号に変換して出力するリモートコントローラーセンサー部；
前記リモートコントローラーセンサー部でＩＲ帯域の光が受信されたことを発光表示する発光手段；及び
前記リモートコントローラーセンサー部と発光手段がそれぞれ実装される一つ以上の実装部が構成され、前記リモートコントローラーセンサー部に出力される電気的信号を外側に出力する一つ以上の出力端子が備えられるリードフレーム；を含むことを特徴とする、一体型光センサーパッケージ。
【請求項７】
前記リモートコントローラーセンサー部は、
ＩＲ帯域の光を受信して電気的信号に変換して出力するリモートコントローラー素子；
前記リモートコントローラー素子から出力される電気的信号を増幅するリモートコントローラーＩＣ；
前記リモートコントローラー素子の上面に塗布され、ＩＲ帯域の光のみを選択的に透過させる第１遮光樹脂；及び
前記リモートコントローラー素子とリモートコントローラーＩＣの上部及び両側方を遮蔽させてノイズを除去するシールドケースをさらに含むことを特徴とする、請求項６に記載の一体型光センサーパッケージ。
【請求項８】
前記一体型光センサーパッケージは、前記リモートコントローラーＩＣの上面に塗布され、全帯域の光を遮断する第２遮光樹脂をさらに含むことを特徴とする、請求項７に記載の一体型光センサーパッケージ。
【請求項９】
前記発光手段は、前記一体型光センサーパッケージが装着される装置の制御部または前記リモートコントローラーセンサー部のいずれか一つによって印加される制御信号によってリモートコントローラー信号の受信を発光表示することを特徴とする、請求項６に記載の一体型光センサーパッケージ。
【請求項１０】
前記リモートコントローラーセンサー部は、前記ハウジングの上面から上方に突出してＩＲ帯域の光を透過させるレンズをさらに含むことを特徴とする、請求項６に記載の一体型光センサーパッケージ。
【請求項１１】
前記一体型光センサーパッケージは、前記リードフレームに電気的信号の通電が可能となるように実装されて周辺の照度を感知する照度センサーをさらに含むことを特徴とする、請求項６〜１０のいずれか一項に記載の一体型光センサーパッケージ。
【請求項１２】
前記照度センサーは、可視光地域のみを透過させる可視光コーティング剤がコートされたことを特徴とする、請求項６に記載の一体型光センサーパッケージ。
【請求項１３】
前記一体型光センサーパッケージは表面実装型であることを特徴とする、請求項６に記載の一体型光センサーパッケージ。
【発明の詳細な説明】
【技術分野】
【０００１】
本発明は一体型光センサーパッケージに係り、より詳しくは可視光帯域を受光する照度センサーと、ＩＲ帯域の光信号を受信するリモートコントローラーセンサーとが互いに干渉なしにそれぞれの固有広帯域だけの受光が可能となるように一体化され、また前記リモートコントローラーセンサーの動作を発光表示する発光手段が前記リモートコントローラーセンサーと一体化されることで、製造工数の節減及び製造コストの節減を実現することができる一体型光センサーパッケージに関するものである。
【背景技術】
【０００２】
各種のディスプレイ装置において、軽量、薄型及び大型のディスプレイ装置に対する要求が段々高くなっている。従来、一般的に多く使われたＣＲＴ（Ｃａｔｈｏｄｅ−Ｒａｙ
Ｔｕｂｅ）方式のモニターやＴＶなどは、長年の期間の間に主要なディスプレイ技術として使われて来たので、蓄積されている技術が多く、製品の性能においても発色能力にすぐれて色表現が正確で容易になされるなどの利点があるはあるが、重くて大きな体積を占めるだけでなく、画面が大きくなるほど体積もずっと大きくならなければならないという問題点を持っていた。したがって、ＣＲＴ方式を代替する新ディスプレイ技術に対する研究が絶え間なく行われて来た。
【０００３】
ＴＦＴ−ＬＥＤ（Ｔｈｉｎ Ｆｉｌｍ
Ｔｒａｎｓｉｓｔｏｒ−Ｌｉｇｈｔ Ｅｍｉｔｔｉｎｇ Ｄｉｏｄｅ）はこのような次世代の尖端ディスプレイ素子の一つで、ＣＲＴに比べて消費電力が低く、軽量化及び薄型化が容易であり、有害電磁波を放出しないという大きな利点があるので、コンピュータモニターとしての用途を中心に近年数年間にわたって関連技術が大きく進歩して来た。また、近年高画質デジタル放送時代を迎えて４０インチ級以上の大画面ディスプレイ装置としてＴＦＴ−ＬＥＤ及びＯＬＥＤ（Ｏｒｇａｎｉｃ
Ｌｉｇｈｔ−Ｅｍｉｔｔｉｎｇ Ｄｉｏｄｅ）が注目を引いている。
【０００４】
このうち、前記のようなディスプレイ装置は、デジタル化信号に基づいて駆動されることにより、アナログ型装備に比べて色相の補正や電力系統の制御が易しく具現できる。このうち、前記ディスプレイ装置は色相補正及び位置変換などのために周辺の明るさを感知するための照度センサーと、前記照度センサーの明るさ感知レベルによる色相補正及び必要によるその他の装備の制御のために装着されるリモートコントローラーセンサーとを含み、前記リモートコントローラーセンサーの受信を発光表示する発光手段が装着されている。
【０００５】
前記リモートコントローラーセンサーは、リモートコントローラーから遠隔で受信される無線信号を受信して前記ディスプレイ装置の制御部に印加する。ここで、前記リモートコントローラーセンサーはＩＲ帯域の信号を受信して動作するようになる。
【０００６】
また、前記リモートコントローラーセンサーの動作を発光表示する発光手段は、前記リモートコントローラーセンサーとは別の基板に装着されることによって組立工数を増加させている。
または、前記照度センサーは、前記リモートコントローラーセンサーとは異なり、ＩＲ帯域の光を遮断し、可視光帯域のみ受信しなければならない。
【発明の概要】
【発明が解決しようとする課題】
【０００７】
したがって、従来の照度センサー、リモートコントローラーセンサー及び発光手段はディスプレイ装置に必ず付加される装置であるにもかかわらず、互いに異なる帯域の光を受信しなければならないため、パッケージの樹脂にそれぞれの不要な光を遮断する構造であり、それぞれ別個の装置として構成しなければならない問題点があった。このように、従来には照度センサーとリモートコントローラーセンサーがそれぞれ別個の装置として備えられなければならなく、現在ＴＶのベゼル（Ｂｅｚｅｌ）構造が薄く、幅が小さくなる趨勢であるため、装置の設置空間が足りなく、工数の増加及び製造コストの増加につながる問題点がある。
【０００８】
したがって、本発明は前記のような従来の問題点を解決するためになされたもので、本発明の目的は、可視光帯域を受光する照度センサーと、ＩＲ帯域の光信号を受信するリモートコントローラーセンサーとが互いに干渉なしにそれぞれの固有広帯域だけの受光が可能となるように一体化して厚さの薄いＰＤＰ、ＬＥＤ、ＯＬＥＤ
ＴＶのように薄くて幅の小さな空間を持つように製造されるＴＶ内においても製造工数の節減及び製造コストの節減が実現可能な一体型光センサーパッケージを提供することにある。
【０００９】
また、本発明の他の目的は、リモートコントローラーセンサーと前記リモートコントローラーセンサーの動作を発光表示する発光手段をリモートコントローラーセンサー及び／または照度センサーと一体型に備えて、製造工数の節減によって製造コストを節減することができる一体型光センサーパッケージを提供することにある。
【課題を解決するための手段】
【００１０】
本発明は前記のような目的を達成するために下記のような実施例を含む。
【００１１】
本発明の第１実施例において、本発明は、ＩＲ帯域の光信号を受信して電気的信号に変換して出力する一つ以上のリモートコントローラー素子を備えたリモートコントローラーセンサー部；可視光帯域の光信号を受信して電気的信号に変換して出力する照度センサー；前記リモートコントローラー素子と照度センサーがそれぞれ実装される一つ以上の実装部が備えられ、前記リモートコントローラー素子と照度センサーから出力される電気的信号を外側に出力する一つ以上の出力端子を備えるリードフレーム；及び前記リモートコントローラーセンサー部と照度センサーを内側に収容するように外観をなすハウジング；を含み、前記リモートコントローラー素子は、ＩＲ帯域のみを透過し、その外の光を遮断するＩＲコーティング剤がコートされ、前記照度センサーは、可視光帯域の光のみを透過し、その外の光を遮断する可視光コーティング剤がコートされることを特徴とする。
【００１２】
本発明の第２実施例において、前記リモートコントローラーセンサー部は、前記ハウジングの上面から上方に突出してＩＲ帯域の光を透過させる一つ以上のレンズと、前記ハウジングの内側で外乱光及び電磁波を遮蔽させるシールドケースと、前記リモートコントローラー素子から出力された電気的信号を増幅させる増幅素子とを含むことを特徴とする。
【００１３】
本発明の第３実施例において、前記リードフレームは、前記リモートコントローラー素子と照度センサーがそれぞれ実装される一つ以上の実装部と、前記一つ以上の実装部とボンディングされ、電気的信号を外側に出力する一つ以上の出力端子とを含み、前記出力端子は前記ハウジングの前面から突出して下面に平行になるように下向きに折り曲げられて伸びるように形成されることを特徴とする。
本発明の第４実施例において、前記一体型光センサーパッケージは表面実装型であることを特徴とする。
本発明の第５実施例において、前記ハウジングは、前記照度センサーの直上方の位置の上面から上方に突出する凸面レンズをさらに含むことが好ましい。
【００１４】
本発明の第６実施例において、本発明による一体型光センサーパッケージは、光透過性コンパウンドから成形されるハウジング；前記ハウジングの内側に入射する光信号のうちＩＲ帯域の光のみを選択的に受信し、受信された光信号を電気的信号に変換して出力するリモートコントローラーセンサー部；前記リモートコントローラーセンサー部でＩＲ帯域の光が受信されたことを発光表示する発光手段；及び前記リモートコントローラーセンサー部と発光手段がそれぞれ実装される一つ以上の実装部が構成され、前記リモートコントローラーセンサー部に出力される電気的信号を外側に出力する一つ以上の出力端子が備えられるリードフレーム；を含む。
【００１５】
本発明の第７実施例において、前記リモートコントローラーセンサー部は、ＩＲ帯域の光を受信して電気的信号に変換して出力するリモートコントローラー素子；前記リモートコントローラー素子から出力される電気的信号を増幅するリモートコントローラーＩＣ；前記リモートコントローラー素子の上面に塗布され、ＩＲ帯域の光のみを選択的に透過させる第１遮光樹脂；及び前記リモートコントローラー素子とリモートコントローラーＩＣの上部及び両側方を遮蔽させてノイズを除去するシールドケースをさらに含むことが好ましい。
【００１６】
本発明の第８実施例において、前記一体型光センサーパッケージは、前記リモートコントローラーＩＣの上面に塗布され、全帯域の光を遮断する第２遮光樹脂をさらに含む。
【００１７】
本発明の第９実施例において、前記発光手段は、前記一体型光センサーパッケージが装着される装置の制御部または前記リモートコントローラーセンサー部のいずれか一つによって印加される制御信号によってリモートコントローラー信号の受信を発光表示する。
【００１８】
本発明の第１０実施例において、前記リモートコントローラーセンサー部は、前記ハウジングの上面から上方に突出してＩＲ帯域の光を透過させるレンズをさらに含む。
【００１９】
本発明の第１１実施例において、前記一体型光センサーパッケージは、前記リードフレームに電気的信号の通電が可能となるように実装されて周辺の照度を感知する照度センサーをさらに含むことが好ましい。
本発明の第１２実施例において、前記照度センサーは、可視光地域のみを透過させる可視光コーティング剤がコートされたことを特徴とする。
本発明の第１３実施例において、前記一体型光センサーパッケージは表面実装型であることを特徴とする。
【発明の効果】
【００２０】
前述したように、本発明による一体型光センサーパッケージは、可視光帯域の照度センサーとＩＲ帯域のリモートコントローラーセンサーとが互いに干渉なしに正常作動可能であるので、一体化した光センサーのパッケージを装置に設置することが簡単であり、組立時間が短縮できるので、製造工数が節減され、装着空間の余裕があるので、空間の活用度効率が向上する効果がある。
【００２１】
また、本発明による一体型光センサーパッケージは、ＩＲ帯域のリモートコントローラーセンサーと発光手段を一体化した光センサーのパッケージを装置に設置するに当たり、空間を節減することができるので、装置の小型化に有利であり、製造工程における組立時間の短縮と製造工数の節減によって製造コストが節減される効果がある。
【図面の簡単な説明】
【００２２】
【図１】本発明による一体型光センサーパッケージの第１実施例を示す正面図である。
【図２】本発明による一体型光センサーパッケージの第１実施例を示す側面図である。
【図３】本発明による一体型光センサーパッケージの第１実施例を示す内側平面図である。
【図４】本発明による一体型光センサーパッケージの第１実施例を示す断面図である。
【図５】本発明による一体型光センサーパッケージの第２実施例を示す平面図である。
【図６】本発明による一体型光センサーパッケージの第２実施例を示す側面図である。
【図７】本発明による一体型光センサーパッケージの第３実施例を示す平面図である。
【図８】本発明による一体型光センサーパッケージの第３実施例を示す側断面図である。
【図９】本発明による一体型光センサーパッケージの第３実施例を示す側面図である。
【発明を実施するための形態】
【００２３】
以下、本発明による一体型光センサーパッケージの好適な実施例を添付図面に基づいて詳細に説明する。
【００２４】
図１は本発明に一体型光センサーパッケージの第１実施例を示す正面図、図２は本発明による一体型光センサーパッケージの第１実施例を示す側面図、図３は本発明による一体型光センサーパッケージの第１実施例を示す内側平面図、図４は本発明による一体型光センサーパッケージの第１実施例を示す断面図である。
【００２５】
図１〜図４を参照すれば、本発明による一体型光センサーパッケージの第１実施例は、可視光帯域を透過させるコンパウンド製品からモールディングされて製品の外観をなすハウジング１０と、ＩＲ帯域の光を受光するリモートコントローラーセンサー部４０と、可視光帯域の光を受光する照度センサー３０と、前記リモートコントローラーセンサー部４０と照度センサー３０が実装されるリードフレーム２０とを含む。
【００２６】
前記リモートコントローラーセンサー部４０は、ＩＲ帯域の光を受信するリモートコントローラー素子４１、４１’と、前記リモートコントローラー素子４１、４１’から出力された電気的信号を増幅する増幅素子４２と、前記ハウジング１０においてＩＲ帯域の光を透過させるレンズ４４と、前記リモートコントローラー素子４１、４１’の上側で電磁波などのノイズを遮蔽させるシールドケース４３とを含む。
【００２７】
前記レンズ４４は一つ以上であって、前記リモートコントローラー素子４１、４１’の数と同数が前記ハウジング１０の上面から上方に突出するように形成される。すなわち、前記レンズ４４は、第１レンズ４４１が第１リモートコントローラー素子４１の直上方に、かつ第２レンズ４４２が第２リモートコントローラー素子４１’の直上方に位置する。
【００２８】
前記リモートコントローラー素子４１、４１’は一つ以上であって、前記リードフレーム２０にそれぞれ実装され、前記レンズ４４の直下方に位置するように前記リードフレーム２０にそれぞれ実装され、前記レンズ４４を透過したＩＲ帯域の光を受光し、これを電気的信号として出力する。この際、前記リモートコントローラー素子４１、４１’はＩＲ帯域（例えば、８２０ｎｍ以上）を除いた残りの波長帯域の光を遮断するＩＲコーティング剤が塗布及びコートされる。ここで、前記ＩＲコーティング剤は３８０〜８２０ｎｍの可視光帯域の光を遮断し、８２０ｎｍ以上のＩＲ帯域の光を透過させる。
【００２９】
前記増幅素子４２は、前記リモートコントローラー素子４１、４１’から受信されたＩＲ帯域の光を電気的信号に変換して出力すれば、これを増幅して前記リードフレーム２０の出力端子２５を通じて出力する。
【００３０】
前記シールドケース４３は、前記ハウジング１０の内側で前記リモートコントローラー素子４１、４１’と前記増幅素子４２の上部及び側面を密閉するようにして、外部から入射する外乱光及びノイズを遮蔽させる。前記シールドケース４３は一般的に知られた技術を適用するのでその詳細な説明を省略する。
【００３１】
前記リードフレーム２０は、前記照度センサー３０とリモートコントローラーセンサー部４０がそれぞれ実装される第１〜第４実装部２１〜２４が形成され、前記第１〜第４実装部２１〜２４でそれぞれゴールドワイヤがボンディングされることで、前記第１〜第４実装部２１〜２４から印加される電気的信号を回路基板に印加する複数の出力端子２５からなる。
【００３２】
前記第１〜第４実装部２１〜２４は、前記リモートコントローラー素子４１が実装される第１実装部２１と増幅素子４２が実装される第２実装部２２とを含む。ここで、前記第３実装部２３は前記第２リモートコントローラー素子４１’が付け加えられる場合に形成される。前記第４実装部２４は前記照度センサー３０が実装される。
【００３３】
また、前記第１実装部２１と第３実装部２３は、前記第２実装部２２に位置する増幅素子４２にそれぞれ電気的信号を印加するために、ゴールドワイヤがボンディングされ、前記第４実装部とは電気的に連結されないようにすることが好ましい。
【００３４】
前記出力端子２５は、前記第１〜第４実装部２１〜２４とそれぞれゴールドワイヤで連結されて、前記増幅素子４２と前記照度センサー３０からそれぞれ印加される電気的信号を外部に出力する。この際、前記出力端子２５は前記ハウジング１０の前面から突出して下向きに折り曲げられて伸びることによって前記ハウジング１０の下面に平行になるように伸びる。すなわち、前記出力端子２５はディスプレイ装置の回路基板の表面に接着される表面実装型に合わせて形成される。
【００３５】
前記照度センサー３０は、可視光帯域の光を受光し、これを電気的信号に変換して前記リードフレーム２０の出力端子２５を通じて出力させる。ここで、前記照度センサー３０は、３８０〜８２０ｎｍの可視光帯域を受光して電気的信号に変換させる半導体素子であり、外面に可視光コーティング剤が塗布される。前記可視光コーティング剤は、３８０ｎｍ〜８２０ｎｍの可視光帯域に相当する光のみを透過させ、その外の帯域の光は全部遮断する。また、前記照度センサーは、直上方で第３レンズを透過した可視光帯域の光を受光する。前記第３レンズ３１は、前記ハウジングの上面で可視光帯域の光が集光されて透過されるように凸状に形成される。
本発明の第１実施例は前記のような構成を含むもので、以下では前記のような構成によって達成される本発明の第１実施例の作用を詳細に説明する。
【００３６】
まず、作業者は、ディスプレイ装置の回路基板に本発明が適用された一体型光センサーパッケージを装着する。すなわち、作業者は、前記リードフレーム２０の出力端子２５を前記ディスプレイ装置の回路基板の所定位置にボンディングさせる。
【００３７】
その後、使用者が前記ディスプレイ装置の画面を制御するためにリモートコントローラー装置を操作すれば、前記リモートコントローラー装置から遠隔でＩＲ帯域の光信号が送信される。
【００３８】
したがって、前記リモートコントローラー装置から送信されたＩＲ帯域の光信号は前記レンズ４４を通じて前記リモートコントローラー素子４１、４１’に入射する。この際、周辺の可視光は前記レンズ４４とシールドケース４３を通じて前記リモートコントローラー素子４１、４１’に入射するが、前記リモートコントローラー素子４１、４１’に塗布されたＩＲコーティング剤によって全部遮断され、８２０ｎｍ以上のＩＲ帯域の光のみを透過させるので、前記リモートコントローラー装置から送信された遠隔信号のみを受信することができる。
【００３９】
同様に、前記照度センサー３０は、前記リモートコントローラー装置から送信されたＩＲ帯域の光信号がハウジング１０を透過して入射しても、外面にコートされる可視光コーティング剤によって前記リモートコントローラー装置から送信された光信号が遮断される。
【００４０】
また、前記照度センサー３０は周辺の光量などの照度を感知し、前記ディスプレイ装置の制御装置に感知信号を印加する。ここで、前記照度センサー３０は、前記第３レンズ３１を透過した光のうち前記可視光コーティング剤によって可視光帯域の外の帯域の光が全部遮断されるため、純粋可視光帯域の光によって周辺の照度を感知することができる。
【００４１】
このように、本発明は、可視光帯域及びＩＲ帯域の光をそれぞれ受信する照度センサー３０とリモートコントローラー素子４１、４１’を単一パッケージに構成しても、ハウジング１０の内側に入射する相異なる帯域の光の中で選択的に受信することができるので、相互間の干渉やノイズによる誤作動が発生しない。
【００４２】
したがって、事業者は、照度センサーとリモートコントローラーセンサーが互いに干渉なしに一体化したから、製造工程の減少及び組立時間の短縮の効果を得ることができる、製造コストを節減することができるので、より安い価格で消費者に提供することができる。
【００４３】
また、本発明は、前述したような第１実施例とは異なり、リモートコントローラーセンサーと発光手段及び／または照度センサーが一体型に構成される第２及び第３実施例を含む。以下では、前記第２実施例及び第３実施例の構成及び作用を図５〜図９に基づいて説明する。ここで、本発明の第２及び第３実施例は図５〜図９において第１実施例とは異なる図面符号を付けて説明する。
【００４４】
図５は本発明による一体型光センサーパッケージの第２実施例を示す平面図、図６は本発明による一体型光センサーパッケージの第２実施例を示す側面図である。
【００４５】
図５及び図６を参照すれば、本発明による一体型光センサーパッケージの第２実施例は、光透過性材のコンパウンドから成形されて製品の外観をなすハウジング４００と、遠隔で送信されるＩＲ帯域のリモートコントローラー信号を受信するリモートコントローラーセンサー部１００と、前記リモートコントローラーセンサー部１００のリモートコントローラー信号の受信有無を発光表示する発光手段２００と、前記リモートコントローラーセンサー部１００及び発光手段２００を実装及び支持するリードフレーム３００とを含む。
前記ハウジング４００は光透過性材のコンパウンドから製造される。この際、前記ハウジング４００は可視光帯域の光が全部透過される。
【００４６】
前記リモートコントローラーセンサー部１００は、ＩＲ帯域の光信号を受信するリモートコントローラー素子１１０と、前記リモートコントローラー素子１１０から受信されて出力される受信信号を増幅するリモートコントローラーＩＣ１２０と、前記リモートコントローラー素子１１０の上部に塗布されてＩＲ帯域の光だけを透過させる第１遮光樹脂１３０と、前記リモートコントローラーＩＣ１２０の上部に塗布されて全帯域の光を遮断する第２遮光樹脂１４０と、電磁波を遮蔽させるシールドケース１５０と、前記ハウジング４００の上面でＩＲ帯域の光を透過させるレンズ１６０とを含む。
前記リモートコントローラー素子１１０は、ＩＲ帯域の光信号を受信して電気的信号として前記リモートコントローラーＩＣ１２０に出力する。
【００４７】
前記リモートコントローラーＩＣ１２０は、前記リモートコントローラー素子１１０から出力された電気的信号を増幅し、前記リモートコントローラーセンサー部１００に連結される装置（例えば、ＴＶの制御部）に出力し、前記発光手段２００を制御してリモートコントローラー信号の受信を発光表示するように制御する。
【００４８】
ここで、他の応用例において、前記発光手段２００は、前記リモートコントローラーＩＣ１２０ではない前記一体型光センサーパッケージが設置される装置（例えば、ＴＶ）の制御部から印加することもできる。
【００４９】
前記レンズ１６０は、光透過性材から成形されるハウジング４００の上面まで凸状または平面状に形成されて可視光帯域の光を遮断し、ＩＲ帯域の光のみを選択的に透過させる遮光樹脂（例えば、第１遮光樹脂）から製作することもでき、あるいは全帯域の光を透過させるように製作することも可能である。
【００５０】
本発明は、下記の第１遮光樹脂１３０でＩＲ帯域のみを選択的に透過させるため、前記レンズ１６０で全帯域の光を透過させるように設定することも可能である。ここで、前記遮光樹脂は一般的に知られた製品であるので、その詳細な説明を省略する。
また、前記レンズ１６０は全帯域の光を透過させるとともに前記リモートコントローラーセンサー部１００の直上方に位置するようにすることが好ましい。
前記シールドケース１５０は、前記リモートコントローラー素子１１０の上側で折曲状に固定されて電磁波のようなノイズを遮蔽させる。
【００５１】
前記リードフレーム３００は、前記リモートコントローラーセンサー部１００及び発光手段２００が定着されてエイジングペーストで接着される実装部３１０が形成され、前記実装部３１０から出力される電気的信号を回路基板に出力する複数の出力端子３２０が形成される。また、前記出力端子３２０と実装部３１０は前記リモートコントローラー素子１１０と発光手段２００及びリモートコントローラーＩＣ１２０とワイヤ３３０を介して電気的に連結される。
【００５２】
前記発光手段２００は、前記リモートコントローラーＩＣ１２０の制御信号によってリモートコントローラー素子１１０の受信を発光表示する。前記発光手段２００は、前記リモートコントローラーＩＣ１２０の制御信号によって白色または他の有色光を発光することによって、遠距離に位置するリモートコントローラーの遠隔信号を前記リモートコントローラー素子１１０が受信したことを発光表示する。
前記発光手段２００は、例えば発光素子（ＬＥＤ）または発光チップ（ＬＥＤ
Ｃｈｉｐ）のいずれかを選択することも可能である。
【００５３】
前記第１遮光樹脂１３０は前記リモートコントローラー素子１１０の上面に塗布され、ＩＲ帯域（例えば、８２０ｎｍ以上）の光を除いた残りの帯域の光を全部遮断する。このような第１遮光樹脂１３０は同業種の従事者らが購買して使っている製品を適用したもので、その具体的な商品名、製造社及びその諸元は省略した。
【００５４】
前記第２遮光樹脂１４０は、前記リモートコントローラーＩＣ１２０の上面に塗布されて光を遮断させる。ここで、前記第２遮光樹脂１４０はＩＲ帯域を含んだ全帯域の光を遮断させることが好ましい。
【００５５】
本発明の第２実施例は、前述したように、リモートコントローラー素子１１０と発光手段２００が一体型に構成される。したがって、前記リモートコントローラー素子１１０と発光手段２００が一体型に備えられた光センサーパッケージを実際品（例えば、ＴＶ、エアコン）に設置する組立工程においてただ一度の作業で二つの部品を実装することが可能である。すなわち、従来にリモートコントローラー素子と発光手段２００がそれぞれ別に設置されることに比べ、工数が半分に減少するものである。
【００５６】
また、本発明の第３実施例は、リモートコントローラー素子１１０、照度センサー５００及び発光手段２００が一体型に構成される。前記照度センサー５００は、ＴＶにおいて画面の画質や明るさを周辺の光量に応じて自動で調節するように周辺の明るさを感知するセンサーである。
【００５７】
このような照度センサー５００は現在市販されるディスプレイを含んだ家電製品などに適用されており、先に説明したように、リモートコントローラー素子１１０と照度センサー５００が互いに異なる帯域の光を受信及び感知しているため、同時に適用するのに無理があった。
【００５８】
しかし、本発明の第３実施例は、互いに異なる帯域の光を受信するリモートコントローラー素子１１０と照度センサー５００を発光手段２００と一緒に一体型に構成することができる。これについての詳細説明は添付図面の図７〜図９を参照して説明する。
【００５９】
図７は本発明による一体型光センサーパッケージの第３実施例を示す平面図、図８は本発明による一体型光センサーパッケージの第３実施例を示す側断面図、図９は本発明による一体型光センサーパッケージの第３実施例を示す側面図である。
ここで、図７〜図９に示した本発明の第３実施例の構成において、先に説明した第２実施例と同一構成要素については同一符号を付けて説明する。
【００６０】
図７〜図９を参照すれば、本発明による一体型光センサーパッケージの第３実施例は、可視光帯域を透過させるコンパウンド製品からモールディングされて製品の外観をなすハウジング４００と、ＩＲ帯域の光を受光するリモートコントローラーセンサー部１００と、可視光帯域の光を受光する照度センサー５００と、前記リモートコントローラーセンサー部１００からのＩＲ帯域の光の受光を発光表示する発光手段２００と、前記リモートコントローラーセンサー部１００、照度センサー５００及び発光手段２００が実装されるリードフレーム３００とを含む。
【００６１】
前記リモートコントローラーセンサー部１００は、ＩＲ帯域の光を受信するリモートコントローラー素子１１０と、前記リモートコントローラー素子１１０から出力された電気的信号を増幅するリモートコントローラーＩＣ１２０と、前記ハウジング４００において光を透過させるレンズ１６０と、前記リモートコントローラー素子１１０の上側で電磁波などのノイズを遮蔽させるシールドケース１５０と、ＩＲ帯域以外の光を遮光させる第１遮光樹脂１３０と、全帯域の光を遮断する第２遮光樹脂１４０とを含む。
前記レンズ１６０は前記リモートコントローラー素子１１０の数と同一の数が前記ハウジング４００の上面から上方に凸状に形成される。
【００６２】
前記リモートコントローラー素子１１０は前記レンズ１６０の直下方に位置するように前記リードフレーム３００に実装され、前記第１遮光樹脂１３０を透過したＩＲ帯域の光量に比例する電気的信号を出力する。
【００６３】
前記第１遮光樹脂１３０は前記リモートコントローラー素子１１０の上面に０．３ｍｍ以上の厚さで塗布され、前記リモートコントローラー素子１１０から受信可能なＩＲ帯域（例えば、８２０ｎｍ以上）を除いた残りの波長帯域の光を遮断する。例えば、前記第１遮光樹脂１３０は３８０〜８２０ｎｍの可視光帯域の光を遮断させ、８２０ｎｍ以上のＩＲ帯域の光のみを選択的に透過させる。
【００６４】
前記リモートコントローラーＩＣ１２０は、前記リモートコントローラー素子１１０から出力される電気的信号を増幅して前記リードフレーム３００の出力端子３２０を通じて出力する。また、前記リモートコントローラーＩＣ１２０は、前記リモートコントローラー素子１１０から光電変換された電気的信号が出力されれば、前記発光手段２００を発光表示するように制御する。ここで、前記リモートコントローラーＩＣ１２０は、前記第２遮光樹脂１４０によって全帯域の光が遮断される。
【００６５】
前記シールドケース１５０は、前記リモートコントローラー素子１１０と前記リモートコントローラーＩＣ１２０の上部及び側面を密閉するようにすることで、外部から入射する外乱光及びノイズを遮蔽させる。ここで、前記シールドケース１５０は‘Ｌ’字形のもので、平面をなす上面が十字型に形成されることにより、一部領域が露出された形状を持つ。したがって、前記リモートコントローラー素子１１０の上側に前記シールドケース１５０を固定した後、前記第１遮光樹脂１３０が塗布されれば、前記開口した領域を通じて前記リモートコントローラー素子１１０の上面に塗布されることができる。
【００６６】
前記リードフレーム３００は、前記照度センサー５００、リモートコントローラーセンサー部１００及び発光手段２００がそれぞれ実装される領域である実装部３１０が形成され、それぞれの実装部３１０においてそれぞれワイヤ３３０がボンディングされて電気的信号を回路基板に印加するように外側に延設される複数の出力端子３２０からなる。
【００６７】
前記出力端子３２０はワイヤ３３０で連結され、前記リモートコントローラーＩＣ１２０、前記照度センサー５００及び発光手段２００からそれぞれ印加される電気的信号を伝達する。前記出力端子３２０は前記ハウジング４００の前面または両側面から突出して前記ハウジング４００の下面に下向きに折り曲げられて伸びることが好ましい。すなわち、前記出力端子３２０はディスプレイ装置の回路基板の表面に接着される表面実装型（ＳＭＤ
ｔｙｐｅ）に形成される。
【００６８】
前記照度センサー５００は、可視光帯域の光を受光し、これを電気的信号に変換して前記リードフレーム３００の出力端子３２０を通じて出力する。ここで、前記照度センサー５００は３８０〜７４０ｎｍの可視光帯域を受光して電気的信号に変換させる半導体素子であり、外面に可視光コーティング剤が塗布される。前記可視光コーティング剤は可視光帯域に相当する光のみを透過させ、その外の帯域の光を全部遮断する。また、前記照度センサー５００は前記ハウジング４００を透過する可視光帯域の光を受光する。
本発明は前記のような構成を含み、以下では前述した第３実施例に基づいて本発明の作用を詳細に説明する。
【００６９】
まず、作業者は、ディスプレイ装置の回路基板に本発明が適用された一体型光センサーパッケージを装着する。例えば、作業者は、前記リードフレーム３００の出力端子３２０を前記ディスプレイ装置の回路基板の所定位置にボンディングする。ここで、前記一体型光センサーパッケージは、前記リモートコントローラーセンサー部１００、照度センサー５００及び発光手段２００が一体型に構成されている。
【００７０】
このような組立が完了した後、使用者が前記ディスプレイ装置の画面を制御するための前記リモートコントローラー装置を操作すれば、前記リモートコントローラー装置からＩＲ帯域の光信号が送信される。
【００７１】
したがって、前記リモートコントローラー装置から送信されたＩＲ帯域の光信号は前記レンズ１６０を通じて前記リモートコントローラー素子１１０に入射する。この際、周辺の可視光は前記ハウジング４００を透過して内側に入射するが、第１遮光樹脂１３０及び第２遮光樹脂１４０によって前記リモートコントローラー素子１１０とリモートコントローラーＩＣ１２０に入射しないで遮断される。
【００７２】
したがって、前記リモートコントローラー素子１１０は、前記リモートコントローラー装置から受信されるＩＲ帯域の光信号のみを受信し、その外の帯域の光信号は入射しない。したがって、前記リモートコントローラー素子１１０は入射したＩＲ帯域の光信号に比例する電気的信号をリモートコントローラーＩＣ１２０に出力する。
【００７３】
そして、前記リモートコントローラーＩＣ１２０は、前記リモートコントローラー素子１１０から出力された電気的信号を増幅し、前記出力端子３２０を通じて外部に出力し、前記発光手段２００を発光させてリモートコントローラー信号の受信を発光表示する。
【００７４】
または、前記発光手段２００は前記リモートコントローラーＩＣ１２０による制御信号によって発光表示しなく、前記リモートコントローラーＩＣ１２０から出力された信号が装着された装置の制御部（図示せず）に印加されることにより、前記装置の制御部の制御によって発光表示することも可能である。これは、設計者や事業者の意図によって変形可能な本発明の技術的思想を含む多数の応用例の一つに相当する。
【００７５】
この際、前記照度センサー５００は、前記リモートコントローラー装置（図示せず）から送信されたＩＲ帯域の光信号がハウジング４００を透過して入射しても、外面にコートされる可視光コーティング剤によって前記リモートコントローラー装置（図示せず）から送信された光信号が遮断され、可視光帯域の光のみを受光して周辺の光量を感知する。
【００７６】
このように、本発明は、可視光帯域とＩＲ帯域の光をそれぞれ受信する照度センサー５００、リモートコントローラー素子１１０及び発光手段２００を単一パッケージに構成しても、互いに異なる帯域の光がハウジングの内側に入射するときにも設定帯域の光のみを選択的に受信することができるので、相互間の干渉やノイズによる誤作動が発生しない。
【産業上の利用可能性】
【００７７】
本発明は、前述したように、リモートコントローラーセンサー、照度センサー及び／または発光手段を一体型に備え、特に前記リモートコントローラーセンサーと照度センサーが互いに干渉なしに動作することができ、リモートコントローラーセンサーとバルグァンソザが一体に形成されるので、製造工程の減少及び組立時間の短縮が可能であり、よって製造コストを節減することができるので、より安い価格で消費者らに製品を提供することができ、関連の産業分野への適用可能性が非常に高い。
【図１】
2014523140.tif 000003
【図２】
2014523140.tif 000004
【図３】
2014523140.tif 000005
【図４】
2014523140.tif 000006
【図５】
2014523140.tif 000007
【図６】
2014523140.tif 000008
【図７】
2014523140.tif 000009
【図８】
2014523140.tif 000010
【図９】
2014523140.tif 000011
【国際調査報告】
2014523140.tif 000012
2014523140.tif 000013
2014523140.tif 000014
2014523140.tif 000015